(57)【要約】【課題】目的とするマルチメディアデータを容易に検索して適切に再生させることのできるマルチメディアデータ検索装置を提供する。【解決手段】マルチメディアデータ処理装置である携帯端末は、マルチメディアデータの検索条件と、検索されたマルチメディアデータの再生方法と、マルチメディアデータの検索を指示するイベントの種類とを対応付けるテーブルであるテンプレートを記憶し、マルチメディアデータを検索する際に、そのテンプレートを選択する。そして、携帯端末で所定のボタンを押されるなどのイベントが検知されると、携帯端末は、テンプレートを参照して、当該イベントに対応付けられている検索条件でマルチメディアデータを検索し、対応付けられている再生方法で検索されたマルチメディアデータを再生する。【選択図】        図５
2004318516.tif 000002
【特許請求の範囲】
【請求項１】
マルチメディアデータを検索するための検索条件と、前記検索条件で検索を実行するためのイベントとを対応付けたテーブルを記憶するテーブル記憶装置から、前記テーブルを取得する取得手段と、
イベントの発生を検知するイベント検知手段と、
前記検知されたイベントに応じて、前記取得したテーブルに対応付けられている検索条件に基づいて、マルチメディアデータを記憶するデータ記憶装置を検索する検索手段と、
前記検索されたマルチメディアデータを再生するために出力する第１の出力手段とを備える、マルチメディアデータ検索装置。
【請求項２】
マルチメディアデータを検索するための検索条件と、前記検索条件で検索を実行するためのイベントと、前記検索されたマルチメディアデータの再生方法とを対応付けたテーブルを記憶するテーブル記憶装置から、前記テーブルを取得する取得手段と、
イベントの発生を検知するイベント検知手段と、
前記検知されたイベントに応じて、前記取得したテーブルに対応付けられている検索条件に基づいて、マルチメディアデータを記憶するデータ記憶装置を検索する検索手段と、
前記検索されたマルチメディアデータを、前記検知されたイベントに応じて、前記取得したテーブルに対応付けられている再生方法で再生するために出力する第１の出力手段とを備える、マルチメディアデータ検索装置。
【請求項３】
前記テーブルには、さらに、前記検索されたマルチメディアデータの加工方法が対応付けられており、
前記検索されたマルチメディアデータを、前記検知されたイベントに応じて、前記取得したテーブルに対応付けられている加工方法で加工するために出力する第２の出力手段をさらに備える、請求項１または２に記載のマルチメディアデータ検索装置。
【請求項４】
前記データ記憶装置には、マルチメディアデータが、前記マルチメディアデータの属性情報と対応付けられて記憶されており、
前記検索条件は、前記マルチメディアデータの属性情報を用いた検索条件である、請求項１〜３のいずれかに記載のマルチメディアデータ検索装置。
【請求項５】
前記データ記憶装置には、メールに添付されて送信されたマルチメディアデータが、前記メールの属性情報と対応付けられて記憶されており、
前記検索条件は、前記マルチメディアデータが添付されていたメールの属性情報を用いた検索条件である、請求項１〜３のいずれかに記載のマルチメディアデータ検索装置。
【請求項６】
前記再生方法は、前記再生するマルチメディアデータの個数を制限する再生方法と、前記再生する各マルチメディアデータの再生時間を制限する再生方法と、前記再生する全てのマルチメディアデータの総再生時間を制限する再生方法と、前記再生する全てのマルチメディアデータのデータサイズの合計を制限する再生方法と、前記再生するマルチメディアデータの再生順を決定する再生方法との少なくとも１つの方法である、請求項２に記載のマルチメディアデータ検索装置。
【請求項７】
当該マルチメディアデータ検索装置に含まれる前記テーブル記憶装置に、マルチメディアデータを検索するための検索条件と、前記検索条件で検索を実行するためのイベントとを対応付けたテーブルを記憶するテーブル記憶手段と、
当該マルチメディアデータ検索装置に含まれる前記データ記憶装置にマルチメディアデータを記憶するデータ記憶手段とをさらに備える、請求項１〜６のいずれかに記載のマルチメディアデータ検索装置。
【請求項８】
他の装置と通信を行なう通信手段をさらに備え、
前記取得手段は、前記通信手段を介して前記他の装置に含まれる前記テーブル記憶装置から前記テーブルを取得する、請求項１〜３のいずれかに記載のマルチメディアデータ検索装置。
【請求項９】
他の装置と通信を行なう通信手段をさらに備え、
前記検索手段は、前記通信手段を介して、前記他の装置に含まれる前記データ記憶装置にアクセスして検索する、請求項１〜３のいずれかに記載のマルチメディアデータ検索装置。
【請求項１０】
前記取得したテーブルを、他の装置に対して送信する送信手段をさらに備える、請求項１〜３のいずれかに記載のマルチメディアデータ検索装置。
【請求項１１】
マルチメディアデータを検索するための検索条件と、前記検索条件で検索を実行するためのイベントとを対応付けたテーブルを記憶するテーブル記憶装置から、前記テーブルを取得する取得ステップと、
イベントの発生を検知するイベント検知ステップと、
前記検知されたイベントに応じて、前記取得したテーブルに対応付けられている検索条件に基づいて、マルチメディアデータを記憶するデータ記憶装置を検索する検索ステップと、
前記検索されたマルチメディアデータを再生するために出力する第１の出力ステップとを備える、マルチメディアデータ検索方法。
【請求項１２】
マルチメディアデータを検索するための検索条件と、前記検索条件で検索を実行するためのイベントと、前記検索されたマルチメディアデータの再生方法とを対応付けたテーブルを記憶するテーブル記憶装置から、前記テーブルを取得する取得ステップと、
イベントの発生を検知するイベント検知ステップと、
前記検知されたイベントに応じて、前記取得したテーブルに対応付けられている検索条件に基づいて、マルチメディアデータを記憶するデータ記憶装置を検索する検索ステップと、
前記検索されたマルチメディアデータを、前記検知されたイベントに応じて、前記取得したテーブルに対応付けられている再生方法で再生するために出力する第１の出力ステップとを備える、マルチメディアデータ検索方法。
【請求項１３】
前記テーブルには、さらに、前記検索されたマルチメディアデータの加工方法が対応付けられており、
前記検索されたマルチメディアデータを、前記検知されたイベントに応じて、前記取得したテーブルに対応付けられている加工方法で加工するために出力する第２の出力ステップをさらに備える、請求項１１または１２に記載のマルチメディアデータ検索方法。
【請求項１４】
前記データ記憶装置には、マルチメディアデータが、前記マルチメディアデータの属性情報と対応付けられて記憶されており、
前記検索条件は、前記マルチメディアデータの属性情報を用いた検索条件である、請求項１１〜１３のいずれかに記載のマルチメディアデータ検索方法。
【請求項１５】
前記データ記憶装置には、メールに添付されて送信されたマルチメディアデータが、前記メールの属性情報と対応付けられて記憶されており、
前記検索条件は、前記マルチメディアデータが添付されていたメールの属性情報を用いた検索条件である、請求項１１〜１３のいずれかに記載のマルチメディアデータ検索方法。
【請求項１６】
前記再生方法は、前記再生するマルチメディアデータの個数を制限する再生方法と、前記再生する各マルチメディアデータの再生時間を制限する再生方法と、前記再生する全てのマルチメディアデータの総再生時間を制限する再生方法と、前記再生する全てのマルチメディアデータのデータサイズの合計を制限する再生方法と、前記再生するマルチメディアデータの再生順を決定する再生方法との少なくとも１つの方法である、請求項１２に記載のマルチメディアデータ検索方法。
【請求項１７】
前記取得ステップは、他の装置と通信を行なう通信手段を介して前記他の装置に含まれる前記テーブル記憶装置から前記テーブルを取得する、請求項１１〜１３のいずれかに記載のマルチメディアデータ検索方法。
【請求項１８】
前記検索手段は、他の装置と通信を行なう通信手段を介して、前記他の装置に含まれるデータ記憶装置にアクセスして検索する、請求項１１〜１３のいずれかに記載のマルチメディアデータ検索方法。
【請求項１９】
前記取得したテーブルを、他の装置に対して送信する送信ステップをさらに備える、請求項１１〜１３のいずれかに記載のマルチメディアデータ検索方法。
【請求項２０】
マルチメディアデータの検索をコンピュータに実行させるプログラムであって、
マルチメディアデータを検索するための検索条件と、前記検索条件で検索を実行するためのイベントとを対応付けたテーブルを記憶するテーブル記憶装置から、前記テーブルを取得する取得ステップと、
イベントの発生を検知するイベント検知ステップと、
前記検知されたイベントに応じて、前記取得したテーブルに対応付けられている検索条件に基づいて、マルチメディアデータを記憶するデータ記憶装置を検索する検索ステップと、
前記検索されたマルチメディアデータを再生するために出力する第１の出力ステップとを実行させる、マルチメディアデータ検索プログラム。
【請求項２１】
マルチメディアデータの検索をコンピュータに実行させるプログラムであって、
マルチメディアデータを検索するための検索条件と、前記検索条件で検索を実行するためのイベントと、前記検索されたマルチメディアデータの再生方法とを対応付けたテーブルを記憶するテーブル記憶装置から、前記テーブルを取得する取得ステップと、
イベントの発生を検知するイベント検知ステップと、
前記検知されたイベントに応じて、前記取得したテーブルに対応付けられている検索条件に基づいて、マルチメディアデータを記憶するデータ記憶装置を検索する検索ステップと、
前記検索されたマルチメディアデータを、前記検知されたイベントに応じて、前記取得したテーブルに対応付けられている再生方法で再生するために出力する第１の出力ステップとを実行させる、マルチメディアデータ検索プログラム。
【請求項２２】
前記テーブルには、さらに、前記検索されたマルチメディアデータの加工方法が対応付けられており、
前記検索されたマルチメディアデータを、前記検知されたイベントに応じて、前記取得したテーブルに対応付けられている加工方法で加工するために出力する第２の出力ステップをさらに実行させる、請求項２０または２１に記載のマルチメディアデータ検索プログラム。
【請求項２３】
請求項２０〜２２のいずれかに記載のマルチメディアデータ検索プログラムを記録する、コンピュータ読取可能な記録媒体。
【発明の詳細な説明】
【０００１】
【発明の属する技術分野】
この発明はマルチメディアデータ検索装置、マルチメディアデータ検索方法、およびマルチメディアデータ検索プログラムに関し、特に、目的とするマルチメディアデータを容易に検索して適切に再生させることのできるマルチメディアデータ検索装置、マルチメディアデータ検索方法、およびマルチメディアデータ検索プログラムに関する。
【０００２】
【従来の技術】
ネットワークの普及に伴ない、装置間でやり取りされるデータの主流が、テキストデータから画像などのマルチメディアデータとなってきている。そのため、多くのマルチメディアデータが装置内に保存されることとなり、所定の条件を満たすマルチメディアデータを閲覧したいと思うときに、目的とするマルチメディアデータを検索することが難しくなってきている。
【０００３】
特に、近年、携帯電話が目覚しい発展を遂げ、携帯電話において画像や音声などのマルチメディアデータをやり取りする場合が多くなっている。そのような場合、携帯電話では小型性が重視されるため、保存されているデータから所定の条件を満たすマルチメディアデータを検索する操作が非常に煩雑になっている場合がある。
【０００４】
このような問題を解決するために、特許文献１では、タグ情報が付与された画像データを、タグ情報に基づいて選択して順次表示することで、目的とする画像ファイルの抽出を短時間でかつ正確に行なうことのできる画像表示装置を開示している。
【０００５】
また、特許文献２では、情報の検索を行なった際に用いた検索条件を保存し、保存した検索条件に応じたアイコンを表示することで、次回からそのアイコンを選択することで、そのアイコンに応じた検索条件で情報の検索を行なうことのできる、情報検索装置を開示している。
【０００６】
【特許文献１】
特開平１１−１７５５４４号公報
【０００７】
【特許文献２】
特開平１１−４５２６１号公報
【０００８】
【発明が解決しようとする課題】
しかしながら、上述の特許文献１や特許文献２で開示されている技術を用いて検索することで適切にマルチメディアデータの検索を行なうことが可能ではあるが、上述の技術を用いて検索されたマルチメディアデータを閲覧する際には、検索されたマルチメディアデータが順次再生されるため、たとえば、マルチメディアデータの再生時間が長い場合や、新しいものほど重要である場合など、検索されたマルチメディアデータに適した再生がなされない場合があるといった問題があった。
【０００９】
本発明はこのような問題に鑑みてなされたものであって、容易な操作で目的とするマルチメディアデータを検索でき、さらに検索されたマルチメディアデータを適した再生方法で再生させることのできるマルチメディアデータ検索装置、マルチメディアデータ検索方法、およびマルチメディアデータ検索プログラムを提供することを目的とする。
【００１０】
【課題を解決するための手段】
上記目的を達成するために、本発明のある局面に従うと、マルチメディアデータ検索装置は、マルチメディアデータを検索するための検索条件とその検索条件で検索を実行するためのイベントとを対応付けたテーブルを記憶するテーブル記憶装置からテーブルを取得する取得手段と、イベントの発生を検知するイベント検知手段と、検知されたイベントに応じて、取得したテーブルに対応付けられている検索条件に基づいて、マルチメディアデータを記憶するデータ記憶装置を検索する検索手段と、検索されたマルチメディアデータを再生するために出力する第１の出力手段とを備える。
【００１１】
本発明の他の局面に従うと、マルチメディアデータ検索装置は、マルチメディアデータを検索するための検索条件とその検索条件で検索を実行するためのイベントと検索されたマルチメディアデータの再生方法とを対応付けたテーブルを記憶するテーブル記憶装置からテーブルを取得する取得手段と、イベントの発生を検知するイベント検知手段と、検知されたイベントに応じて、取得したテーブルに対応付けられている検索条件に基づいて、マルチメディアデータを記憶するデータ記憶装置を検索する検索手段と、検索されたマルチメディアデータを、検知されたイベントに応じて、取得したテーブルに対応付けられている再生方法で再生するために出力する第１の出力手段とを備える。
【００１２】
また、上述のテーブルには、さらに、検索されたマルチメディアデータの加工方法が対応付けられており、マルチメディアデータ検索装置は、検索されたマルチメディアデータを、検知されたイベントに応じて、取得したテーブルに対応付けられている加工方法で加工するために出力する第２の出力手段をさらに備えることが望ましい。
【００１３】
また、上述のデータ記憶装置には、マルチメディアデータが、マルチメディアデータの属性情報と対応付けられて記憶されており、検索条件は、マルチメディアデータの属性情報を用いた検索条件であることが望ましい。
【００１４】
あるいは、上述のデータ記憶装置には、メールに添付されて送信されたマルチメディアデータが、メールの属性情報と対応付けられて記憶されており、検索条件は、マルチメディアデータが添付されていたメールの属性情報を用いた検索条件であることが望ましい。
【００１５】
さらに、上述の再生方法は、再生するマルチメディアデータの個数を制限する再生方法と、再生する各マルチメディアデータの再生時間を制限する再生方法と、再生する全てのマルチメディアデータの総再生時間を制限する再生方法と、再生する全てのマルチメディアデータのデータサイズの合計を制限する再生方法と、再生するマルチメディアデータの再生順を決定する再生方法との少なくとも１つの方法であることが望ましい。
【００１６】
また、マルチメディアデータ検索装置は、当該マルチメディアデータ検索装置に含まれるテーブル記憶装置に、マルチメディアデータを検索するための検索条件とその検索条件で検索を実行するためのイベントとを対応付けたテーブルを記憶するテーブル記憶手段と、当該マルチメディアデータ検索装置に含まれるデータ記憶装置にマルチメディアデータを記憶するデータ記憶手段とをさらに備えることが望ましい。
【００１７】
また、マルチメディアデータ検索装置は、他の装置と通信を行なう通信手段をさらに備え、取得手段は、通信手段を介して他の装置に含まれるテーブル記憶装置からテーブルを取得することが望ましい。
【００１８】
また、マルチメディアデータ検索装置は、他の装置と通信を行なう通信手段をさらに備え、検索手段は、通信手段を介して、他の装置に含まれるデータ記憶装置にアクセスして検索することが望ましい。
【００１９】
また、マルチメディアデータ検索装置は、取得したテーブルを、他の装置に対して送信する送信手段をさらに備えることが望ましい。
【００２０】
本発明のさらに他の局面に従うと、マルチメディアデータ検索方法は、マルチメディアデータを検索するための検索条件とその検索条件で検索を実行するためのイベントとを対応付けたテーブルを記憶するテーブル記憶装置からテーブルを取得する取得ステップと、イベントの発生を検知するイベント検知ステップと、検知されたイベントに応じて、取得したテーブルに対応付けられている検索条件に基づいて、マルチメディアデータを記憶するデータ記憶装置を検索する検索ステップと、検索されたマルチメディアデータを再生するために出力する第１の出力ステップとを備える。
【００２１】
本発明のさらに他の局面に従うと、マルチメディアデータ検索方法は、マルチメディアデータを検索するための検索条件とその検索条件で検索を実行するためのイベントと検索されたマルチメディアデータの再生方法とを対応付けたテーブルを記憶するテーブル記憶装置からテーブルを取得する取得ステップと、イベントの発生を検知するイベント検知ステップと、検知されたイベントに応じて、取得したテーブルに対応付けられている検索条件に基づいて、マルチメディアデータを記憶するデータ記憶装置を検索する検索ステップと、検索されたマルチメディアデータを、検知されたイベントに応じて、取得したテーブルに対応付けられている再生方法で再生するために出力する第１の出力ステップとを備える。
【００２２】
また、上述のテーブルには、さらに、検索されたマルチメディアデータの加工方法が対応付けられており、マルチメディアデータ検索方法は、検索されたマルチメディアデータを、検知されたイベントに応じて、取得したテーブルに対応付けられている加工方法で加工するために出力する第２の出力ステップをさらに備えることが望ましい。
【００２３】
また、上述のデータ記憶装置には、マルチメディアデータが、マルチメディアデータの属性情報と対応付けられて記憶されており、検索条件は、マルチメディアデータの属性情報を用いた検索条件であることが望ましい。
【００２４】
あるいは、上述のデータ記憶装置には、メールに添付されて送信されたマルチメディアデータが、メールの属性情報と対応付けられて記憶されており、検索条件は、マルチメディアデータが添付されていたメールの属性情報を用いた検索条件であることが望ましい。
【００２５】
さらに、上述の再生方法は、再生するマルチメディアデータの個数を制限する再生方法と、再生する各マルチメディアデータの再生時間を制限する再生方法と、再生する全てのマルチメディアデータの総再生時間を制限する再生方法と、再生する全てのマルチメディアデータのデータサイズの合計を制限する再生方法と、再生するマルチメディアデータの再生順を決定する再生方法との少なくとも１つの方法であることが望ましい。
【００２６】
また、上述の取得ステップは、他の装置と通信を行なう通信手段を介して他の装置に含まれるテーブル記憶装置からテーブルを取得することが望ましい。
【００２７】
また、上述の検索手段は、他の装置と通信を行なう通信手段を介して、他の装置に含まれるデータ記憶装置にアクセスして検索することが望ましい。
【００２８】
また、マルチメディアデータ検索方法は、取得したテーブルを、他の装置に対して送信する送信ステップをさらに備えることが望ましい。
【００２９】
本発明のさらに他の局面に従うと、マルチメディアデータ検索プログラムは、マルチメディアデータの検索をコンピュータに実行させるプログラムであって、マルチメディアデータを検索するための検索条件とその検索条件で検索を実行するためのイベントとを対応付けたテーブルを記憶するテーブル記憶装置からテーブルを取得する取得ステップと、イベントの発生を検知するイベント検知ステップと、検知されたイベントに応じて、取得したテーブルに対応付けられている検索条件に基づいて、マルチメディアデータを記憶するデータ記憶装置を検索する検索ステップと、検索されたマルチメディアデータを再生するために出力する第１の出力ステップとを実行させる。
【００３０】
本発明のさらに他の局面に従うと、マルチメディアデータ検索プログラムは、マルチメディアデータの検索をコンピュータに実行させるプログラムであって、マルチメディアデータを検索するための検索条件とその検索条件で検索を実行するためのイベントと検索されたマルチメディアデータの再生方法とを対応付けたテーブルを記憶するテーブル記憶装置からテーブルを取得する取得ステップと、イベントの発生を検知するイベント検知ステップと、検知されたイベントに応じて、取得したテーブルに対応付けられている検索条件に基づいて、マルチメディアデータを記憶するデータ記憶装置を検索する検索ステップと、検索されたマルチメディアデータを、検知されたイベントに応じて、取得したテーブルに対応付けられている再生方法で再生するために出力する第１の出力ステップとを実行させる。
【００３１】
また、上述のテーブルには、さらに、検索されたマルチメディアデータの加工方法が対応付けられており、マルチメディアデータ検索プログラムは、検索されたマルチメディアデータを、検知されたイベントに応じて、取得したテーブルに対応付けられている加工方法で加工するために出力する第２の出力ステップをさらに実行させることが望ましい。
【００３２】
本発明のさらに他の局面に従うと、記録媒体はコンピュータ読取可能な記録媒体であって、上述のマルチメディアデータ検索プログラムを記録する。
【００３３】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００３４】
［第１の実施の形態］
第１の実施の形態においては、本発明のマルチメディアデータ処理装置を携帯電話やＰＤＡ（Ｐｅｒｓｏｎａｌ  Ｄｉｇｉｔａｌ  Ａｓｓｉｓｔａｎｔｓ）などの携帯端末で実現した場合について述べる。言うまでもなく、本発明においてマルチメディアデータ処理装置を実現する装置は携帯電話などの携帯端末に限定されるものではなく、パーソナルコンピュータやなどのその他の装置であってもよい。
【００３５】
図１は、本実施の形態の携帯端末１００のハードウェア構成の具体例を示すブロック図である。図１を参照して、携帯端末１００は、ユーザとのインタフェースである入出力部１４と、ＣＰＵ（Ｃｅｎｔｒａｌ  Ｐｒｏｃｅｓｓｉｎｇ  Ｕｎｉｔ）などから構成される、この携帯端末１００の全体を制御する制御部１２と、他の携帯電話などの装置と通信を行なうための通信部１１と、制御部１２において実行されるプログラムや、そのプログラムの中間データおよび画像などのマルチメディアデータ等を記憶する記憶部１３とを含んで構成される。
【００３６】
さらに上述の入出力部１４は、「１」、「２」などの数字キーおよび「Ｒ」、「Ｌ」などの方向キーなどを含む操作部１５と、ユーザに情報を表示するＬＣＤ（Ｌｉｑｕｉｄ  Ｃｒｙｓｔａｌ  Ｄｉｓｐｌａｙ）からなる表示部１６と、音声を入力するマイクからなる音声入力部１７と、音声を出力するスピーカからなる音声出力部１８とを含んで構成される。
【００３７】
図２は、第１の実施の形態における携帯端末１００の機能構成の具体例を示すブロック図である。図２に示される各部は、図１に示される制御部１２が記憶部１３に記憶されるプログラムを読出して実行することで機能する。
【００３８】
図２を参照して、第１の実施の形態の携帯端末１００は、画像やメールなどのマルチメディアデータを記憶する記憶部１３上の領域であるデータ記憶部１０３と、データを検索するための検索条件とその他の情報とを対応付けたテーブルであるテンプレートを記憶する記憶部１３上の領域であるテンプレート記憶部１０１と、テンプレート記憶部１０１にあるテンプレートを選択して取得するテンプレート取得部１０２と、データ記憶部１０３に記憶されているマルチメディアデータを検索する検索部１０４と、操作部１５での操作などのイベントの発生を検知するイベント検知部１０５と、マルチメディアデータを再生する再生部１０６とを含んで構成される。
【００３９】
ユーザが当該携帯端末１００を用いて、記憶部１３に記憶されている所定のマルチメディアデータを検索して再生しようとする際には、まず、操作部１５がユーザの指示を受付けて、指示信号をテンプレート取得部１０２に出力する。テンプレート取得部１０２は、その指示信号に基づいて、検索に用いるテンプレートをテンプレート記憶部１０１から選択して取得する。
【００４０】
本実施の形態におけるテンプレートは、マルチメディアデータの検索条件と、検索されたマルチメディアデータの再生方法と、イベントの種類とを対応付けるテーブルであって、その詳細については、後に具体例を挙げて説明する。
【００４１】
イベント検知部１０５は、操作部１５での操作などのイベントの発生を検知する。イベント検知部１０５で検知するイベントは本発明において限定されるものではないが、たとえば、操作部１５を構成する所定のキーが押下されたことや、表示部１６に表示された選択肢のうちの所定の選択肢が選択されて操作部１５を構成する決定キーが押下されたこと、などが該当する。また、本携帯端末１００が音声識別機能を備える場合には所定の音声が入力されたことであってもよいし、画像識別機能を備える場合には所定の画像（バーコードなど）が入力されたことであってもよいし、その他、本発明のマルチメディアデータ処理装置を実現する装置に応じた内容であってもよい。
【００４２】
イベント検知部１０５は、上述のようなイベントの発生を検知すると、イベントの内容を示すイベント信号をテンプレート取得部１０２に出力する。
【００４３】
テンプレート取得部１０２は、イベント検知部１０５から入力されたイベント信号に基づいて、テンプレート記憶部１０１から選択して取得したテンプレートに記載されているマルチメディアデータの検索条件とマルチメディアデータの再生方法とのうち、当該イベントに対応付けられている検索条件と再生方法とを抽出する。そして、テンプレート取得部１０２は、抽出した検索条件を検索部１０４に、抽出した再生方法を再生部１０６に出力する。
【００４４】
検索部１０４は、テンプレート取得部１０２から入力された検索条件に基づいて、該当するマルチメディアデータをデータ記憶部１０３から検索する。そして、検索部１０４は、検索されたマルチメディアデータを再生部１０６に出力する。
【００４５】
再生部１０６は、マルチメディアデータが画像データである場合には表示部１６を含んで構成され、マルチメディアデータが音楽データである場合には音声出力部１８を含んで構成され、アニメーションデータ（動画＋音声）である場合には表示部１６と音声出力部１８とを含んで構成される。そして、再生部１０６は、テンプレート取得部１０２から入力された再生方法に基づいて、検索部１０４から入力されたマルチメディアデータを再生する。
【００４６】
なお、本実施の形態においては、上述のように、テンプレート取得部１０２がイベント検知部１０５から入力されたイベント信号に基づいて、検索されたテンプレートから該当する検索条件と再生方法とを抽出するものとするが、テンプレート取得部１０２が取得したテンプレートに記載されている全ての検索条件を検索部１０４に、全ての再生方法を再生部１０６に出力し、検索部１０４および再生部１０６が、各々、イベント検知部１０５からイベント信号を取得して該当する検索条件および再生方法を抽出するようにしてもよい。
【００４７】
次に、マルチメディアデータ処理装置である第１の実施の形態の携帯端末１００におけるマルチメディアデータの検索および再生処理について、図３のフローチャートを用いて説明する、図３のフローチャートに示される処理は、制御部１２が記憶部１３に記憶されるプログラムを読出し、図２に示される各部を機能させて実行される。
【００４８】
図３を参照して、始めに、携帯端末１００の操作部１５などは、当該携帯端末１００のユーザから、記憶部１３のデータ記憶部１０３に記憶されているマルチメディアデータの検索を行なうのに用いるテンプレートの選択を受付ける（Ｓ１０１）。そして、テンプレート取得部１０２は、その選択結果に応じてテンプレート記憶部１０１から該当するテンプレートを選択して取得する。
【００４９】
次に、イベント検知部１０５がイベントの発生を検知すると（Ｓ１０３でＹＥＳ）、イベント検知部１０５は、イベントの種類を示すイベント信号をテンプレート取得部１０２に出力する。そして、テンプレート取得部１０２は、取得したテンプレートから発生したイベントの種類に該当する検索条件と再生方法とを抽出し、各々検索部１０４と再生部１０６とに出力する。
【００５０】
次に、検索部１０４は、イベント選択部１０２から入力された検索条件に基づいて、データ記憶部１０３を検索し（Ｓ１０５）、当該検索条件に合致するマルチメディアデータを取得する。そして、検索部１０４は、取得したマルチメディアデータを再生部１０６に出力する。
【００５１】
次に、再生部１０６は、イベント選択部１０２から入力された再生方法に基づいて、検索部１０４から入力されたマルチメディアデータを再生する（Ｓ１０７）。
【００５２】
以上で、第１の実施の形態におけるマルチメディアデータの検索および再生処理を終了する。
【００５３】
さらに、上述の処理について具体例を挙げながら説明を行なう。
図４に、データ記憶部１０３に記憶されているマルチメディアデータの具体例を示す。図４に示す具体例は、当該携帯端末１００が受信したメールに添付された画像データを示す具体例である。図４に示される具体例においては、マルチメディアデータである画像データは、添付されていたメールの本文や、送信元や、タイトルや、作成日時や、添付されているマルチメディアデータの種類（画像、音楽など）や、マルチメディアデータの更新時刻情報を示す情報などの、当該マルチメディアデータが添付されていたメールの属性情報と対応付けられてデータ記憶部１０３に記憶される。
【００５４】
次に、図５に、第１の実施の形態におけるテンプレートであって、テンプレート記憶部１０１に記憶されるテンプレートの１つの具体例を示す。テンプレート記憶部１０１には、たとえば、「マイアルバム」「私の旅行記」「昨日あったこと」などとタイトルが付けられたいくつかのテンプレートが記憶されている。図５は、そのうちの「マイアルバム」とタイトル付けられたテンプレートの具体例を示しているものとする。
【００５５】
図５を参照して、テンプレートには、操作部１５を構成するキーのうちイベントの種類となるキー（「イベント」）と、イベントの種類となるキーに対応して選択肢として表示部１６に表示する「ボタン名」と、検索条件と、検索されたマルチメディアデータを再生する再生方法とが記載されている。
【００５６】
より具体的には、図５を参照して、ボタン名「リス」に該当する「１」キーに対応した検索条件として、本文に「リス」を含むメールデータに添付されている画像ファイルであることと、そのマルチメディアデータの再生方法として、再生するマルチメディアデータは５個までで、画像データの再生時間は各３秒であることとが記載されている。また、ボタン名「太郎」に該当する「２」キーに対応した検索条件として、送信元が「太郎」であるメールデータに添付されている画像ファイルであることと、そのマルチメディアデータの再生方法として、添付されているメール本文の長い画像データから順に再生することとが記載されている。また、ボタン名「イントロ」に該当する「３」キーに対応した検索条件として、全てのメールデータに添付されている音楽ファイルであることと、そのマルチメディアデータの再生方法として、各音楽ファイルの最初の５秒を順次再生することとが記載されている。
【００５７】
なお、マルチメディアデータの再生方法は上述の再生方法に限定されず、たとえば、再生するマルチメディアデータの総再生時間を制限するような再生方法や、再生するマルチメディアデータのファイルサイズの合計を制限するような再生方法や、再生するマルチメディアデータの順を決定するような再生方法のような、その他の再生方法であってもよい。
【００５８】
本携帯端末１００においてマルチメディアデータの検索および再生処理を行なう際には、まず、携帯端末１００は、表示部１６にテンプレート選択画面を表示する。図６は、テンプレート選択画面の具体例を示す図である。
【００５９】
マルチメディアデータの検索および再生処理を開始するときに、テンプレート取得部１０２はテンプレート記憶部１０１に記憶されているテンプレートのタイトルを抽出して、表示部１６に表示データとして出力する。そして表示部１６は、図６に示されるように、テンプレート選択画面をユーザに選択可能に表示する。図６においては、テンプレート記憶部１０１に記憶されているテンプレートのタイトル「マイアルバム」、「私の旅行記」、および「昨日あったこと」が選択可能に表示されている。
【００６０】
上述のステップＳ１０１において、ユーザは、図６に示されるテンプレート選択画面において、マルチメディアデータの選択に用いたいテンプレートを、操作部１５を構成する方向キーあるいは数字キーで選択して決定キー（ファンクションキー）を押すなどして選択する。
【００６１】
ステップＳ１０１において、図５に示されるタイトル「マイアルバム」のテンプレートが選択された場合、携帯端末１００は、表示部１６にイベント選択画面を表示する。図７は、イベント選択画面の具体例を示す図である。
【００６２】
テンプレート取得部１０２は、選択された図５に示されるテンプレートからボタン名「リス」、「太郎」、および「イントロ」と、各々対応付けられたイベント「１」キー、「２」キー、および「３」キーとを読出して、表示部１６に表示データとして出力する。そして表示部１６は、図７に示されるように、イベント選択画面をユーザに選択可能に表示する。図７においては、読出されたボタン名「リス」、「太郎」、および「イントロ」が、「１」キー、「２」キー、および「３」キーの位置に対応付けられて、選択可能に表示されている。
【００６３】
上述のステップＳ１０３において、ユーザは、図７に示されるイベント選択画面において、マルチメディアデータの検索条件および再生方法としたいボタン名を、操作部１５を構成する数字キーを押すなどして選択する。
【００６４】
そして、図７に示されるイベント選択画面において、ボタン名「リス」が選択された場合、図８に示されるようなマルチメディアデータの再生が実行される。すなわち、検索部１０４において、図４に示されるようなデータ記憶部１０３に記憶されているマルチメディアデータの中から、添付されているメールの本文に「リス」を含む画像ファイルが５個まで検索され、再生部１０６において、検索された画像データが各３秒ごと再生される。
【００６５】
本実施の形態における携帯端末１００でこのようなマルチメディアデータの検索および再生処理が実行されることによって、ユーザは、表示されたボタン名から所望するボタン名を選択するのみで、雑多にマルチメディアデータが格納されているデータ記憶部１０３から適切なマルチメディアデータを素早く効率的に検索することができ、とても便利である。また、簡単な操作で所望するマルチメディアデータを閲覧することができる。
【００６６】
また、同様に表示されたボタン名から所望するボタン名を選択するのみで、たとえば、マルチメディアデータが新しいものほど重要である場合には新しいものから順に再生されるなど、検索されたマルチメディアデータが適した再生方法で再生されるため、ユーザは、簡単な操作で最適にマルチメディアデータを閲覧することができる。
【００６７】
なお、上述の例では、本発明のマルチメディアデータ処理装置を携帯電話などの携帯端末１００で実現する具体例を述べているため、マルチメディアデータは添付されていたメールの属性情報と対応付けられてデータ記憶部１０３に記憶されている具体例が示されているが、言うまでもなく、マルチメディアデータの記憶方法はこのような形態に限定されるものではない。
【００６８】
たとえば、図９に示されるように、画像データであるマルチメディアデータは、キーワードなどの当該マルチメディアデータの属性情報と対応付けられてデータ記憶部１０３に記憶されていてもよい。さらに、マルチメディアデータの属性情報として、マルチメディアデータの作成者、作成日時、更新日時、タイトル、マルチメディアデータの種類（画像、音楽など）や、ファイルの拡張子などと対応付けられてデータ記憶部１０３に記憶されていてもよい。
【００６９】
そのような場合には、検索条件として、マルチメディアデータの属性情報を用いた検索条件、たとえば、キーワードに「リス」を含む画像データ、などが記載されたテンプレートを用いて、上述と同様の処理を行なうことができる。
【００７０】
［第２の実施の形態］
次に、第２の実施の形態における携帯端末１００の機能構成の具体例を図１０に示す。図１０を参照して、本実施の形態の携帯端末１００は、図２に示される第１の実施の形態の携帯端末１００の機能構成に加えて、マルチメディアデータの加工を行なう加工部１０７をさらに含んで構成されることを特徴とする。なお、図１０において、図２と同じ符号を付した構成要素は図２に示される第１の実施の形態の携帯端末１００の構成要素と同じものであるので、ここではその詳細な説明は繰返さない。
【００７１】
第２の実施の形態におけるテンプレートは、第１の実施の形態におけるテンプレートと同様にマルチメディアデータの検索条件と検索されたマルチメディアデータの再生方法とを含むものであるが、さらに、再生方法の中に（あるいは再生方法とは別に）、検索されたマルチメディアデータの加工方法も含むテンプレートである。
【００７２】
第２の実施の形態のテンプレート取得部１０２は、イベント検知部１０５から入力されたイベント信号に基づいて、テンプレート記憶部１０１から選択したテンプレートに記載されているマルチメディアデータの検索条件とマルチメディアデータの再生方法と加工方法とのうち、当該イベントに対応付けられている検索条件と再生方法と加工方法とを抽出する。そして、テンプレート取得部１０２は、抽出した検索条件を検索部１０４に、抽出した再生方法を再生部１０６に、抽出した加工方法を加工部１０７に出力する。
【００７３】
検索部１０４は、テンプレート取得部１０２から入力された検索条件に基づいて、該当するマルチメディアデータをデータ記憶部１０３から検索する。そして、検索部１０４は、検索されたマルチメディアデータを加工部１０７に出力する。
【００７４】
加工部１０７は、テンプレート取得部１０２から入力された加工方法に基づいて、検索部１０４から入力されたマルチメディアデータを加工する。たとえば、加工部１０７は、マルチメディアデータが画像データである場合には画像処理等の加工を行なう。より具体的には、マルチメディアデータと所定の画像とを合成したり、色相の合成や変更などの画像処理を行なったり、サイズの変更を行ったりするような加工を行なう。またたとえば、マルチメディアデータが音楽データである場合には、加工部１０７は、音声処理等の加工を行なう。より具体的には、和音合成（たとえば短音から３和音へ変換するなど）したり、曲調を変更（たとえば長調を短調へ変換するなど）したり、再生速度を変更したりするような加工を行なう。そして、加工部１０７は、加工したマルチメディアデータを再生部１０６に出力する。
【００７５】
再生部１０６は、テンプレート取得部１０２から入力された再生方法に基づいて、検索部１０４から入力されたマルチメディアデータを再生する。
【００７６】
次に、第２の実施の形態の携帯端末１００におけるマルチメディアデータの検索および再生処理について、図１１のフローチャートを用いて説明する。図１１のフローチャートに示される処理は、制御部１２が記憶部１３に記憶されるプログラムを読出し、図１０に示される各部を機能させて実行される。
【００７７】
図１１を参照して、始めに、携帯端末１００の操作部１５などは、当該携帯端末１００のユーザから、記憶部１３のデータ記憶部１０３に記憶されているマルチメディアデータの検索を行なうのに用いるテンプレートの選択を受付ける（Ｓ２０１）。そして、テンプレート取得部１０２は、テンプレート記憶部１０１から該当するテンプレートを選択して取得する。
【００７８】
次に、イベント検知部１０５がイベントの発生を検知すると（Ｓ２０３でＹＥＳ）、イベント検知部１０５は、イベントの種類を示すイベント信号をテンプレート取得部１０２に出力する。そして、テンプレート取得部１０２は、その選択結果に応じて選択したテンプレートから発生したイベントの種類に該当する検索条件と再生方法と加工方法とを抽出し、各々検索部１０４と再生部１０６と加工部１０７とに出力する。
【００７９】
次に、検索部１０４は、テンプレート取得部１０２から入力された検索条件に基づいて、データ記憶部１０３を検索し（Ｓ２０５）、当該検索条件に合致するマルチメディアデータを取得する。そして、検索部１０４は、取得したマルチメディアデータを加工部１０７に出力する。
【００８０】
次に、加工部１０７は、テンプレート取得部１０２から入力された加工方法に基づいて、検索部１０４から入力されたマルチメディアデータを加工する（Ｓ２０６）。そして、加工部１０７は、加工したマルチメディアデータを再生部１０６に出力する。
【００８１】
次に、再生部１０６は、テンプレート取得部１０２から入力された再生方法に基づいて、加工部１０７から入力された加工されたマルチメディアデータを再生する（Ｓ２０７）。
【００８２】
以上で、第２の実施の形態におけるマルチメディアデータの検索および再生処理を終了する。
【００８３】
さらに、上述の処理について具体例を挙げながら説明を行なう。
図１２に、第２の実施の形態におけるテンプレートであって、テンプレート記憶部１０１に記憶されるテンプレートの１つの具体例を示す。図１２に示されるテンプレートの具体例も、図５に示されるテンプレートの具体例と同様に「マイアルバム」とタイトル付けられたテンプレートの具体例を示しているものとする。
【００８４】
図１２を参照して、テンプレートには、操作部１５を構成するキーのうちイベントの種類となるキー（「イベント」）と、イベントの種類となるキーに対応して選択肢として表示部１６に表示する「ボタン名」と、検索条件と、検索されたマルチメディアデータを再生する再生方法とが記載されている。さらに、その再生方法の中には、画像合成など、加工方法が含まれている。
【００８５】
より具体的には、図１２を参照して、ボタン名「花子」に該当する「１」キーに対応した検索条件として、送信元が「花子」であるメールデータに添付されている画像ファイルであることと、そのマルチメディアデータの再生方法として、各画像データに特定画像データを合成する加工を行なって再生することとが記載されている。また、ボタン名「太郎」に該当する「２」キーに対応した検索条件として、送信元が「花子」であるメールデータの本文（テキストデータ）であることと、そのマルチメディアデータの再生方法として、本文（テキストデータ）のを順次スクロール表示することとが記載されている。また、ボタン名「セピア」に該当する「３」キーに対応した検索条件として、全てのメールデータに添付されている画像ファイルであることと、そのマルチメディアデータの再生方法として、作成日時の早い順に再生し、作成日時の遅いものほど濃くセピア色に色彩調整する加工を行なって再生することとが記載されている。また、ボタン名「４分割」に該当する「４」キーに対応した検索条件として、全てのメールデータに添付されている画像ファイルであることと、そのマルチメディアデータの再生方法として、画像データを４つずつ合成する加工を行なって再生することとが記載されている。
【００８６】
本携帯端末１００においてマルチメディアデータの検索および再生処理を行なう際にも、第１の実施の形態と同様に、携帯端末１００は、表示部１６に図６に示されるようなテンプレート選択画面を表示し、マルチメディアデータの検索および再生処理に用いるテンプレートの選択を受付ける。さらに、図７に示されるようなイベント選択画面を表示し、マルチメディアデータの検索条件および再生方法としたいボタン名の選択を受付ける。
【００８７】
そして、イベント選択画面において、ボタン名「花子」が選択された場合、図１３に示されるようなマルチメディアデータの再生が実行される。すなわち、検索部１０４において、図４に示されるようなデータ記憶部１０３に記憶されているマルチメディアデータの中から、送信元が「花子」であるメールデータに添付されている画像ファイルが検索され、加工部１０７において、テンプレートで指定された別画像（図１３において「別画像」で示される画像）と合成されて、再生部１０６において順次再生される。
【００８８】
また、イベント選択画面において、ボタン名「４分割」が選択された場合、図１４に示されるようなマルチメディアデータの再生が実行される。すなわち、検索部１０４において、図４に示されるようなデータ記憶部１０３に記憶されているマルチメディアデータの中から、全てのメールデータに添付されている画像ファイルが検索され、加工部１０７において、画像データが４つずつ合成されて、再生部１０６において順次再生される。
【００８９】
本実施の形態における携帯端末１００でこのようなマルチメディアデータの検索および再生処理が実行されることによって、ユーザは、効率的にマルチメディアデータが検索できるのみならず、検索されたマルチメディアデータを、楽しみながら閲覧することができる。
【００９０】
［第３の実施の形態］
上述第１、第２の実施の形態においては、本発明のマルチメディアデータ処理装置を携帯端末１００において実現する場合を具体的に述べたが、本発明のマルチメディアデータ処理装置を携帯端末１００を含むシステムにて実現することもできる。そこで、第３の実施の形態において、本発明のマルチメディアデータ処理装置を携帯端末１００を含むシステムにて実現した場合の、マルチメディアデータ処理システムの構成の具体例を図１５に示す。第３の実施の形態においては、第１の実施の形態において携帯端末１００に含まれるテンプレート記憶部１０１およびデータ記憶部１０３が、携帯端末１００以外の他の装置に含まれる場合を示している。
【００９１】
図１５を参照して、本実施の形態におけるマルチメディアデータ処理システムは、インターネット４００で相互に接続された携帯端末１００と、テンプレートを記憶するテンプレート記憶サーバ２００と、マルチメディアデータを記憶するデータ記憶サーバ３００とを含んで構成される。
【００９２】
さらに、図１６〜図１８を用いて、第３の実施の形態におけるマルチメディアデータ処理システムの各装置の機能構成を説明する。
【００９３】
図１６は、第３の実施の形態の携帯端末１００の機能構成の具体例を示す図である。図１６を参照して、本実施の形態の携帯端末１００は、図２に示される第１の実施の形態の携帯端末１００の機能構成と同様の、テンプレート記憶部１０１と、データ記憶部１０３と、イベント検知部１０５と、再生部１０６とを含み、さらに、通信部１１などから構成され、インターネット４０を介してテンプレート記憶サーバ２００あるいはデータ記憶サーバ３００と通信を行なう送受信部１０８を含んで構成される。
【００９４】
本実施の形態においては、当該携帯端末１００を用いてデータ記憶サーバ３００に記憶されている所定のマルチメディアデータを検索して再生しようとする際には、まず、操作部１５がユーザの指示を受付けて、指示信号を送受信部１０８に出力する。送受信部１０８は、その指示信号に基づいてテンプレート記憶サーバ２００にアクセスし、検索に用いるテンプレートをテンプレート記憶部１０１から取得する。そして、送受信部１０８は、取得しテンプレートをテンプレート記憶部１０１に出力して記憶させる。
【００９５】
イベント検知部１０５は、操作部１５での操作などのイベントの発生を検知する。そして、イベント検知部１０５は、イベントの内容を示すイベント信号をテンプレート記憶部１０１に出力する。
【００９６】
テンプレート記憶部１０１は、携帯端末１００がマルチメディアデータの検索および再生処理を行なう際に一時的にテンプレートを記憶する、記憶部１３上の領域である。そして、テンプレート記憶部１０１は、イベント検知部１０５から入力されたイベント信号に基づいて、記憶しているテンプレートから当該イベントに対応付けられている検索条件と再生方法とを抽出して、検索条件を送受信部１０８に、抽出した再生方法を再生部１０６に出力する。
【００９７】
次に、図１７は、テンプレート記憶サーバ２００の機能構成の具体例を示す図である。図１７を参照して、テンプレート記憶サーバ２００は、送受信部２０３と、テンプレートを記憶する記憶部（図示せず）の領域であるテンプレート記憶部２０１と、テンプレート記憶部２０１から所定のテンプレートを選択するテンプレート取得部２０２とを含んで構成される。
【００９８】
送受信部２０３は、インターネット４００を介して携帯端末１００と通信を行ない、携帯端末１００の送受信部１０８からテンプレートを選択するための指示信号を受信する。そして、送受信部２０３は、受信した指示信号をテンプレート取得部２０２に出力する。
【００９９】
テンプレート取得部２０２は、送受信部２０３から入力された指示信号に基づいて、テンプレート記憶部２０１から所定のテンプレートを選択して取得し、送受信部２０３に出力する。
【０１００】
そして、送受信部２０３は、テンプレート取得部２０２から入力されたテンプレートを、インターネット４００を介して携帯端末１００に出力する。
【０１０１】
また、図１８は、データ記憶サーバ３００の機能構成の具体例を示す図である。図１８を参照して、データ記憶サーバ３００は、送受信部３０３と、マルチメディアデータを記憶する記憶部（図示せず）上の領域であるデータ記憶部３０１と、データ記憶部３０１から所定のマルチメディアデータを検索する検索部３０２とを含んで構成される。
【０１０２】
送受信部３０３は、インターネット４００を介して携帯端末１００と通信を行ない、携帯端末１００の送受信部１０８からマルチメディアデータを検索するための検索条件を受信する。そして、送受信部３０３は、受信した検索条件を検索部３０２に出力する。
【０１０３】
検索部３０２は、送受信部３０３から入力された検索条件に基づいて、データ記憶部３０１から所定のマルチメディアデータを検索して抽出し、送受信部３０３に出力する。
【０１０４】
そして、送受信部３０３は、検索部３０２から入力されたマルチメディアデータを、インターネット４００を介して携帯端末１００に出力する。
【０１０５】
なお、上に機能構成を説明したテンプレート記憶サーバ２００およびデータ記憶サーバ３００は一般的なコンピュータなどによって構築されるサーバであって、そのハードウェア構成については、一般的なコンピュータのハードウェア構成であるため、ここでの説明は行なわない。
【０１０６】
なお、図１５においては、第１の実施の形態において携帯端末１００に含まれるテンプレート記憶部１０１およびデータ記憶部１０３が、各々テンプレート記憶サーバ２００およびデータ記憶サーバ３００に含まれるシステムの具体例を示しているが、本システムは図１５に示される形態に限定されるものではなく、たとえば、第１の実施の形態において携帯端末１００に含まれるテンプレート記憶部１０１とデータ記憶部１０３とのいずれか一方のみが他の装置に含まれているような形態であってもよい。
【０１０７】
次に、第３の実施の形態のマルチメディアデータ処理システムにおけるマルチメディアデータの検索および再生処理について、図１９のフローチャートを用いて説明する。図１９のフローチャートに示される処理は、携帯端末１００、テンプレート記憶サーバ２００、およびデータ記憶サーバ３００の制御部が記憶部に記憶されるプログラムを読出し、図１６〜図１８に示される各部を機能させて実行される。
【０１０８】
図１９を参照して、始めに、携帯端末１００の送受信部１０８はインターネット４００を介してテンプレート記憶サーバ２００へアクセスし（Ｓ３００）、テンプレート記憶サーバ２００の送受信部２０３を介して、テンプレート取得部２０２が抽出したテンプレート記憶部１０１に記憶されているテンプレートのタイトルを受取る。携帯端末１００の送受信部１０８は、受取ったテンプレートのタイトルを表示部１６に表示データとして出力することで、表示部１６には、図６に示されるようなテンプレート選択画面がユーザにテンプレート選択可能に表示される。
【０１０９】
次に、操作部１５などは、当該携帯端末１００のユーザから、データ記憶サーバ３００に記憶されているマルチメディアデータの検索を行なうのに用いるテンプレートの選択を受付ける（Ｓ３０１）。携帯端末１００の送受信部１０８は、インターネット４００を介してテンプレートの選択結果をテンプレート記憶サーバ２００の送受信部２０３に出力する。送受信部２０３からテンプレートの選択結果を受取ったテンプレート記憶サーバ２００のテンプレート取得部２０２は、テンプレート記憶部２０１に記憶されているテンプレートから所定のテンプレートを選択して取得し、送受信部２０３に出力する。携帯端末１００の送受信部１０８は、インターネット４００を介してテンプレート記憶サーバ２００の送受信部２０３からテンプレートを受取ることで、たとえば図２０に具体例が示されるようなテンプレートをダウンロードして取得する（Ｓ３０２）。
【０１１０】
図２０に具体例が示されるテンプレートには、操作部１５を構成するキーのうちイベントの種類となるキー（「イベント」）と、イベントの種類となるキーに対応して選択肢として表示部１６に表示する「ボタン名」と、検索条件と、検索されたマルチメディアデータを再生する再生方法とが記載されている。
【０１１１】
より具体的には、図２０を参照して、ボタン名「リス」に該当する「１」キーに対応した検索条件として、「ｈｔｔｐ：／／ａｂｃ．ｃｏｍ」でアドレスが示されるデータ記憶サーバ３００内に記憶されているデータであって、その属性情報に「リス」を含む画像ファイルであることと、そのマルチメディアデータの再生方法として、画像データの再生時間は各３秒であることとが記載されている。
【０１１２】
そして、携帯端末１００の送受信部１０８は、取得したテンプレートを、テンプレート記憶部１０１に一時的に格納する。
【０１１３】
次に、イベント検知部１０５がイベントの発生を検知すると（Ｓ３０３でＹＥＳ）、イベント検知部１０５は、イベントの種類を示すイベント信号をテンプレート記憶部１０１に出力する。そして、テンプレート記憶部１０１は、記憶しているテンプレートから発生したイベントの種類に該当する検索条件と再生方法とを抽出し、各々送受信部１０８と再生部１０６とに出力する。
【０１１４】
次に、携帯端末１００の送受信部１０８は、インターネット４００を介してマルチメディアデータの検索条件をデータ記憶サーバ３００の送受信部３０３に出力する。送受信部３０３からマルチメディアデータの検索条件を受取ったデータ記憶サーバ３００の検索部３０２は、データ記憶部３０１に記憶されているマルチメディアデータから検索条件に基づいてマルチメディアデータを検索し（Ｓ３０５）、抽出したマルチメディアデータを送受信部３０３に出力する。携帯端末１００の送受信部１０８は、インターネット４００を介してデータ記憶サーバ３００の送受信部３０３からマルチメディアデータを受取ることでマルチメディアデータをダウンロードして取得する（Ｓ３０５）。そして、携帯端末１００の送受信部１０８は、取得したマルチメディアデータを、データ記憶部１０３に一時的に格納する。
【０１１５】
次に、再生部１０６は、テンプレート記憶部１０１から入力された再生方法に基づいて、データ記憶部１０３に一時的に格納されたマルチメディアデータを再生する（Ｓ３０７）。
【０１１６】
以上で、第３の実施の形態におけるマルチメディアデータの検索および再生処理を終了する。
【０１１７】
本実施の形態におけるシステムがこのように構成されることで、たとえばマルチメディアデータの作成者が、閲覧者に対して、作成した複数マルチメディアデータを所定の検索方法で検索して所定の再生方法で再生させたいと意図する場合に、マルチメディアデータとは別に当該マルチメディアデータを閲覧するためのテンプレートをテンプレート記憶サーバ２００に記憶させることで、閲覧者に対して、マルチメディアデータを作成者の意図するように閲覧させることができる。
【０１１８】
さらに、本実施の形態において、携帯端末１００が操作部１５などを操作することでテンプレートを作成する機能を備える場合、携帯端末１００で作成したテンプレートを、送受信部１０８よりインターネット４００を介してテンプレート記憶サーバ２００に送信し、テンプレート記憶部２０１に記憶させてもよい。
【０１１９】
このようにすることで、ある携帯端末１００において作成したテンプレートを、複数の携帯端末１００において共有することができ、コミュニケーションを促進することができる。
【０１２０】
［第４の実施の形態］
さらに、本発明のマルチメディアデータ処理装置を携帯端末１００を含むシステムにて実現する他の具体例として、第４の実施の形態において、複数の携帯端末１００ａ，１００ｂを含む含むシステムにて実現した場合のマルチメディアデータ処理システムの構成の具体例を図２１に示す。
【０１２１】
本実施の形態における携帯端末１００の機能構成は、第３の実施の形態において図１６に示される機能構成と同様であるため、ここでの説明は繰返さない。
【０１２２】
第４の実施の形態においては、携帯端末１００間でテンプレートを送信することができる。すなわち、携帯端末１００ａにおいて取得したテンプレートを他の携帯端末１００ｂに送信することができる。また、携帯端末１００が操作部１５などを操作することでテンプレートを作成する機能を備える場合、携帯端末１００ａにおいて作成したテンプレートを他の携帯端末１００ｂに送信することができる。
【０１２３】
このため、複数の携帯端末１００において共有することができ、コミュニケーションを促進することができる。また、携帯端末１００ａから他の携帯端末１００ｂに対して複数のマルチメディアデータを送信した後に、「今まで送った画像をこれで見てね」などのメッセージと共にテンプレートを送信することで、閲覧者に対してマルチメディアデータを意図する閲覧のし方をさせることができる。
【０１２４】
なお、上述の第１〜第４の実施の形態に示された具体例は、言うまでもなく、組合せて実施することも可能である。また、マルチメディアデータ処理装置は、上述のマルチメディアデータ検索処理のみを行なってもよい。その場合、マルチメディアデータ処理装置はマルチメディアデータを再生する機能（再生部１０６）を備えず、再生機能を備える他の装置であるマルチメディアデータ再生装置に検索したマルチメディアデータと再生方法とを出力する機能を備える。また、マルチメディアデータ処理装置はマルチメディアデータを加工する機能（加工部１０７）を備えず、加工機能を備える他の装置であるマルチメディアデータ加工装置に検索したマルチメディアデータと加工方法とを出力する機能を備える。
【０１２５】
さらに、本発明のマルチメディアデータ処理装置におけるマルチメディアデータの検索および再生方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１２６】
提供されるプログラム製品は、ハードディスクなどのプログラム格納部にインストールされて実行される。なお、プログラム製品は、プログラム自体と、プログラムが記録された記録媒体とを含む。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態の携帯端末１００のハードウェア構成の具体例を示すブロック図である。
【図２】第１の実施の形態における携帯端末１００の機能構成の具体例を示すブロック図である。
【図３】第１の実施の形態の携帯端末１００におけるマルチメディアデータの検索および再生処理について示すフローチャートである。
【図４】データ記憶部１０３に記憶されているマルチメディアデータの具体例を示す図である。
【図５】テンプレートの具体例を示す図である。
【図６】テンプレート選択画面の具体例を示す図である。
【図７】イベント選択画面の具体例を示す図である。
【図８】マルチメディアデータの再生状態の具体例を示す図である。
【図９】データ記憶部１０３に記憶されているマルチメディアデータの他の具体例を示す図である。
【図１０】第２の実施の形態における携帯端末１００の機能構成の具体例を示す図である。
【図１１】第２の実施の形態の携帯端末１００におけるマルチメディアデータの検索および再生処理を示すフローチャートである。
【図１２】テンプレートの具体例を示す図である。
【図１３】マルチメディアデータの再生状態の具体例を示す図である。
【図１４】マルチメディアデータの再生状態の具体例を示す図である。
【図１５】第３の実施の形態のマルチメディアデータ処理システムの構成の具体例を示す図である。
【図１６】第３の実施の形態の携帯端末１００の機能構成の具体例を示す図である。
【図１７】テンプレート記憶サーバ２００の機能構成の具体例を示す図である。
【図１８】データ記憶サーバ３００の機能構成の具体例を示す図である。
【図１９】第３の実施の形態のマルチメディアデータ処理システムにおけるマルチメディアデータの検索および再生処理を示すフローチャートである。
【図２０】テンプレートの具体例を示す図である。
【図２１】第４の実施の形態のマルチメディアデータ処理システムの構成の具体例を示す図である。
【符号の説明】
１１  通信部、１２  制御部、１３  記憶部、１４  入出力部、１５  操作部、１６  表示部、１７  音声入力部、１８  音声出力部、１００  携帯端末、１０１  携帯端末のテンプレート記憶部、１０２  携帯端末のテンプレート取得部、１０３  携帯端末のデータ記憶部、１０４  携帯端末の検索部、１０５  イベント検知部、１０６  再生部、１０７  加工部、１０８  携帯端末の送受信部、２００  テンプレート記憶サーバ、２０１  テンプレート記憶サーバのテンプレート記憶部、２０２  テンプレート記憶サーバのテンプレート取得部、２０３  テンプレート記憶サーバの送受信部、３００  データ記憶サーバ、３０１  データ記憶サーバのデータ記憶部、３０２  データ記憶サーバの検索部、３０３  データ記憶サーバの送受信部、４００  インターネット。
【図１】
2004318516.tif 000003
【図２】
2004318516.tif 000004
【図３】
2004318516.tif 000005
【図４】
2004318516.tif 000006
【図５】
2004318516.tif 000007
【図６】
2004318516.tif 000008
【図７】
2004318516.tif 000009
【図８】
2004318516.tif 000010
【図９】
2004318516.tif 000011
【図１０】
2004318516.tif 000012
【図１１】
2004318516.tif 000013
【図１２】
2004318516.tif 000014
【図１３】
2004318516.tif 000015
【図１４】
2004318516.tif 000016
【図１５】
2004318516.tif 000017
【図１６】
2004318516.tif 000018
【図１７】
2004318516.tif 000019
【図１８】
2004318516.tif 000020
【図１９】
2004318516.tif 000021
【図２０】
2004318516.tif 000022
【図２１】
2004318516.tif 000023